(57)【要約】【課題】ユーザの使い勝手が良好な加熱調理器を提供する。【解決手段】ユーザが、例えば「焼きそば」を作るため、料理選択用画像を選択すると、カラー液晶パネル９５は、２つの分量選択用画像Ｇ１，Ｇ２と、３つの仕上がり選択用画像Ｇ１１〜Ｇ１３と、付属品を確認するための付属品確認用画像Ｇ２１とを表示する。このとき、分量選択用画像Ｇ１，Ｇ２、仕上がり選択用画像Ｇ１１，Ｇ１３および付属品確認用画像Ｇ２１が非選択状態となっている一方、仕上がり選択用画像Ｇ１１が選択状態となっている。タッチパネル９６をタッチすることにより、分量選択用画像Ｇ１，Ｇ２、仕上がり選択用画像Ｇ１１，Ｇ１３および付属品確認用画像Ｇ２１を選択したり、仕上がり選択用画像Ｇ１１の選択状態を解除したりすることができるようになっている。【選択図】図７Ａ
2011242099.tif 000002
【特許請求の範囲】
【請求項１】
ケーシングと、
上記ケーシング内に設けられ、被加熱物を収容する加熱室と、
上記被加熱物を加熱するためにユーザが操作する操作部と、
上記被加熱物の加熱に関連する複数の第１選択肢を選択可能に表示する表示部と、
上記表示部の表示を制御する制御装置と
を備え、
上記制御装置は、
上記第１選択肢が選択されたか否かを判定する第１選択判定部と、
上記第１選択判定部によって、上記第１選択肢が選択されたと判定されたときに、複数の第２選択肢と、この第２選択肢とは異なるカテゴリに属する複数の第３選択肢とを、同時かつ選択可能に上記表示部に表示させる表示指令部と
を有することを特徴とする加熱調理器。
【請求項２】
請求項１に記載の加熱調理器において、
上記制御装置は、
上記第２選択肢が選択されているか否かを判定する第２選択判定部と、
上記第２選択判定部によって、上記第２選択肢が選択されていないと判定されたときに、上記第３選択肢よりも目立つように上記第２選択肢を上記表示部に表示させて、上記第２選択肢が選択されていないことをユーザに注意する注意部と
を有することを特徴とする加熱調理器。
【請求項３】
請求項１または２に記載の加熱調理器において、
上記表示指令部は上記第２選択肢を非選択状態で上記表示部に表示させることを特徴とする加熱調理器。
【請求項４】
請求項１から３までのいずれか一項に記載の加熱調理器において、
上記表示指令部は上記第３選択肢を選択状態で上記表示部に表示させることを特徴とする加熱調理器。
【請求項５】
請求項１から４までのいずれか一項に記載の加熱調理器において、
上記表示指令部は、上記第２，第３選択肢とは異なるカテゴリに属する第４選択肢を、上記第２，第３選択肢と同時かつ選択可能に上記表示部に表示させ、
上記表示部は、上記第４選択肢の選択に応じて、ユーザが選択した上記第１選択肢に対応する付属品を示すことを特徴とする加熱調理器。
【請求項６】
請求項５に記載の加熱調理器において、
上記制御装置は、上記付属品が予め設定された付属品と一致するか否かを判定する付属品判定部を有し、
上記表示指令部は、上記付属品判定部によって上記付属品が予め設定された付属品でないと判定されたときに、上記第２，第３選択肢よりも目立つように上記第４選択肢を上記表示部に表示させることを特徴とする加熱調理器。
【請求項７】
請求項１から６までのいずれか一項に記載の加熱調理器において、
上記第２，第３選択肢の少なくとも一方は、ユーザが選択した上記第１選択肢になじむ表現で上記表示部に表示されることを特徴とする加熱調理器。
【請求項８】
請求項１から７までのいずれか一項に記載の加熱調理器において、
上記操作部の少なくとも一部は上記表示部を覆うタッチパネルであることを特徴とする加熱調理器。
【発明の詳細な説明】
【技術分野】
【０００１】
本発明は加熱調理器に関する。
【背景技術】
【０００２】
従来、加熱調理器としては、特開２００２−３４９８５８号公報（特許文献１）に記載されているように、ケーシングと、このケーシング内に設けられ、被加熱物を収容する加熱室とを備えたものがある。
【０００３】
上記ケーシングの前面には、表示部と、ユーザが操作する複数の操作部とが設けられている。この表示部は、複数の第１選択肢を選択可能に表示する第１選択肢選択用画面と、その第１選択肢とは異なるカテゴリに属する複数の第２選択肢を選択可能に表示する第２選択肢選択用画面とを個別に表示する。
【０００４】
上記従来の加熱調理器によれば、ユーザは、操作部を操作して、表示部の画面を第１選択肢選択用画面に切り換える。そして、ユーザは、複数の第１選択肢から所望の１つを選択する。そうすると、上記第１選択肢選択用画面が第２選択肢選択用画面に切り換わり、ユーザが複数の第１選択肢から所望の１つを選択できるようになる。
【０００５】
しかしながら、上記従来の加熱調理器では、表示部が第１選択肢選択用画面および第２選択肢選択用画面を個別に表示するため、第２選択肢を選択中に第１選択肢の選択を変更しようとすると、第１選択用画面に戻らなければならない。
【０００６】
したがって、上記第１選択肢の選択の変更に手間がかかって、ユーザの使い勝手が悪いという問題があった。
【先行技術文献】
【特許文献】
【０００７】
【特許文献１】特開２００２−３４９８５８号公報
【発明の概要】
【発明が解決しようとする課題】
【０００８】
そこで、本発明の課題は、ユーザの使い勝手が良好な加熱調理器を提供することにある。
【課題を解決するための手段】
【０００９】
上記課題を解決するため、本発明の加熱調理器は、
ケーシングと、
上記ケーシング内に設けられ、被加熱物を収容する加熱室と、
上記被加熱物を加熱するためにユーザが操作する操作部と、
上記被加熱物の加熱に関連する複数の第１選択肢を選択可能に表示する表示部と、
上記表示部の表示を制御する制御装置と
を備え、
上記制御装置は、
上記第１選択肢が選択されたか否かを判定する第１選択判定部と、
上記第１選択判定部によって、上記第１選択肢が選択されたと判定されたときに、複数の第２選択肢と、この第２選択肢とは異なるカテゴリに属する複数の第３選択肢とを、同時かつ選択可能に上記表示部に表示させる表示指令部と
を有することを特徴としている。
【００１０】
上記構成によれば、上記第１選択判定部は、第１選択肢が選択されたか否かを判定する。このとき、上記第１選択判定部によって、第１選択肢が選択されたと判定されると、表示指令部が、複数の第２選択肢と、この第２選択肢とは異なるカテゴリに属する複数の第３選択肢とを、同時かつ選択可能に表示部に表示させる。
【００１１】
したがって、ユーザは第１選択肢および第２選択肢の選択を共通の画面で行うことができるので、第１選択肢および第２選択肢の選択の変更にかかる手間が少なく、ユーザの使い勝手が良好である。
【００１２】
一実施形態の加熱調理器では、
上記制御装置は、
上記第２選択肢が選択されているか否かを判定する第２選択判定部と、
上記第２選択判定部によって、上記第２選択肢が選択されていないと判定されたときに、上記第３選択肢よりも目立つように上記第２選択肢を上記表示部に表示させて、上記第２選択肢が選択されていないことをユーザに注意する注意部と
を有する。
【００１３】
上記実施形態によれば、上記第２選択判定部によって、第２選択肢が選択されていないと判定されたときに、注意部は、第３選択肢よりも目立つように第２選択肢を表示部に表示させて、第２選択肢が選択されていないことをユーザに注意するので、ユーザが第２選択肢の選択し忘れに気付きやすい。
【００１４】
したがって、ユーザは第２選択肢を確実に選択でき、ユーザの使い勝手を向上させることができる。
【００１５】
一実施形態の加熱調理器では、
上記表示指令部は上記第２選択肢を非選択状態で上記表示部に表示させる。
【００１６】
上記実施形態によれば、上記表示指令部が第２選択肢を非選択状態で表示部に表示させるので、第２選択肢をユーザに選択させることができる。
【００１７】
したがって、上記第２選択肢の選択後の処理がユーザの意図を確実に反映されたものにできる。
【００１８】
一実施形態の加熱調理器では、
上記表示指令部は上記第３選択肢を選択状態で上記表示部に表示させる。
【００１９】
上記実施形態によれば、上記表示指令部が第３選択肢を選択状態で表示部に表示させるので、その選択状態がユーザの意図に合致していれば、ユーザは第３選択肢の選択を行わずに済む。
【００２０】
したがって、上記第３選択肢の選択にかかる手間を低減して、ユーザの使い勝手を向上させることができる。
【００２１】
一実施形態の加熱調理器では、
上記表示指令部は、上記第２，第３選択肢とは異なるカテゴリに属する第４選択肢を、上記第２，第３選択肢と同時かつ選択可能に上記表示部に表示させ、
上記表示部は、上記第４選択肢の選択に応じて、ユーザが選択した上記第１選択肢に対応する付属品を示す。
【００２２】
上記実施形態によれば、上記表示部が、第４選択肢の選択に応じて、ユーザが選択した第１選択肢に対応する付属品を示すので、ユーザは付属品の確認を容易に行うことができる。
【００２３】
したがって、上記付属品の確認にかかる手間を低減して、ユーザの使い勝手を向上させることができる。
【００２４】
一実施形態の加熱調理器では、
上記制御装置は、上記付属品が予め設定された付属品と一致するか否かを判定する付属品判定部を有し、
上記表示指令部は、上記付属品判定部によって上記付属品が予め設定された付属品でないと判定されたときに、上記第２，第３選択肢よりも目立つように上記第４選択肢を上記表示部に表示させる。
【００２５】
上記実施形態によれば、上記付属品判定部によって付属品が予め設定された付属品でないと判定されたときに、表示指令部が、第２，第３選択肢よりも目立つように第４選択肢を表示部に表示させるので、付属品の確認をユーザに喚起することができる。
【００２６】
したがって、上記付属品の誤使用をユーザに気付かせて、被加熱物の加熱の仕上がりがユーザの意図から外れるのを防ぐことができる。
【００２７】
一実施形態の加熱調理器では、
上記第２，第３選択肢の少なくとも一方は、ユーザが選択した上記第１選択肢になじむ表現で上記表示部に表示される。
【００２８】
上記実施形態によれば、上記第１選択肢および２選択肢の少なくとも一方は、ユーザが選択した第１選択肢になじむ表現で表示部に表示されるので、第１選択肢および２選択肢の少なくとも一方の選択でもたらされる結果をユーザに伝えやすい。
【００２９】
したがって、ユーザは第１，第２選択肢の少なくとも一方の選択を適切に行うことができる。
【００３０】
一実施形態の加熱調理器では、
上記操作部の少なくとも一部は上記表示部を覆うタッチパネルである。
【００３１】
上記実施形態によれば、上記操作部の少なくとも一部は表示部を覆うタッチパネルであるので、操作部の少なくとも一部と表示部とが重なり合い、それらを重ね合わせない場合に比べてスペースを減らすことができる。
【００３２】
したがって、その減らしたスペース分、表示部の表示面積を広げることができるので、第２，第３選択肢とを同時に表示部にしても、第２，第３選択肢の視認性を良好にできる結果、ユーザの使い勝手を向上させることができる。
【発明の効果】
【００３３】
本発明の加熱調理器によれば、制御装置は、第１選択肢が選択されたか否かを判定する第１選択判定部と、この第１選択判定部によって、第１選択肢が選択されたと判定されたときに、複数の第２選択肢と、この第２選択肢とは異なるカテゴリに属する複数の第３選択肢とを、同時かつ選択可能に表示部に表示させる表示指令部とを有するので、第１選択肢および第２選択肢の選択の変更にかかる手間が少なくなり、ユーザの使い勝手を良好にすることができる。
【図面の簡単な説明】
【００３４】
【図１】図１は本発明の一実施の形態の加熱調理器の外観斜視図である。
【図２】図２は上記加熱調理器の概略構成図である。
【図３】図３は上記加熱調理器の操作パネルの概略正面図である。
【図４】図４は図３のＦ４−Ｆ４線矢視の模式断面図である。
【図５】図５は上記加熱調理器の制御ブロック図である。
【図６】図６は上記加熱調理器のカラー液晶パネルの一画面を示す模式図である。
【図７Ａ】図７Ａは上記加熱調理器のカラー液晶パネルの他の画面を示す模式図である。
【図７Ｂ】図７Ｂは上記加熱調理器のカラー液晶パネルの他の画面を示す模式図である。
【図７Ｃ】図７Ｃは上記加熱調理器のカラー液晶パネルの他の画面を示す模式図である。
【図７Ｄ】図７Ｄは上記加熱調理器のカラー液晶パネルの他の画面を示す模式図である。
【図８Ａ】図８Ａは上記加熱調理器の制御装置の制御を説明するためのフローチャートである。
【図８Ｂ】図８Ｂは上記加熱調理器の制御装置の制御を説明するためのフローチャートである。
【発明を実施するための形態】
【００３５】
以下、本発明の加熱調理器を図示の実施の形態により詳細に説明する。
【００３６】
図１は本発明の一実施形態の加熱調理器の外観斜視図である。
【００３７】
上記加熱調理器では、直方体形状のケーシング１の正面に、下端側の辺を略中心に回動する扉３４が取り付けられている。この扉３４の右側には操作パネル３５を設けている。また、扉３４の上部にはハンドル３７を取り付けると共に、扉３４の略中央には耐熱ガラス３８を取り付けている。
【００３８】
上記操作パネル３５は、カラー液晶表示部３６と、被加熱物１０（図２参照）を加熱するためにユーザが操作するボタン群４５とを有している。
【００３９】
図２は上記加熱調理器の概略構成図である。
【００４０】
上記加熱調理器は、ケーシング１と、ケーシング１内に設けられた加熱室２と、水蒸気を発生させる水蒸気発生装置３と、水蒸気発生装置３からの水蒸気を加熱して過熱水蒸気にする水蒸気加熱ヒータ４と、水蒸気発生装置３や水蒸気加熱ヒータ４等の動作を制御する制御装置５とを備えている。ここで、上記過熱水蒸気とは、１００℃を越える過熱状態にまで加熱された水蒸気を意味する。
【００４１】
上記被加熱物１０は、水蒸気加熱ヒータ４で生成された過熱水蒸気で加熱したり、水蒸気加熱ヒータ４の輻射熱で加熱したり、マグネトロン５３で発生したマイクロ波で加熱したりする。
【００４２】
また、図２において、６はセラミックス製のトレイ、７は鉄等の金属製の調理網、８は循環経路、９はつゆ受け、１０は被加熱物、１１は下受け棚、１２は中受け棚、１３は上受け棚、１４は排水経路、１５は循環吸気口、１６は第１噴出口、１７は第２噴出口、１８は第３噴出口、１９は循環ファン、２０は蒸気放出経路、２１は第１排気口、２２は第２排気口、２３は排気経路、２４はエジェクタ、２５は排気ダンパ、２６は排気チューブ、２７は希釈空気経路、２８は吸込ダクト、２９はファンケーシング、３０は排気希釈ファン、３１は給気経路、３２は給気口、３３は給気ダンパ、３９は水蒸気発生装置３が有する水蒸気発生部、４０は水蒸気発生装置３が有する給水タンク、４１は水蒸気発生装置３が有する水加熱ヒータ、４２は排水弁、４９は電磁弁である。なお、トレイ６、調理網７、つゆ受け９および給水タンク４０は付属品の一例である。
【００４３】
図３は、図１の操作パネル３５の拡大した概略図である。
【００４４】
上記ボタン群４５は、戻りキー９１、取り消しキー９２、手動キー９３およびあたためスタートキー９４で構成されている。戻りキー９１は、後述するカラー液晶パネル９５の画面表示を直前の画面表示に戻すときに押す。また、取り消しキー９２は、途中で加熱をやめるときや、操作を取り消すときに押す。そして、手動キー９３は、高周波出力および加熱出力を手動で設定するときに押す。また、あたためスタートキー９４は、加熱を開始するときに押す。なお、戻りキー９１、取り消しキー９２、手動キー９３およびあたためスタートキー９４は操作部の一例である。
【００４５】
図４は、図３のＦ４−Ｆ４線から見た模式断面図である。
【００４６】
上記カラー液晶表示部３６は、カラー液晶パネル９５上にタッチパネル９６を重ねて構成される。このカラー液晶パネル９５は、文字、数字、写真等をカラー表示できるものであり、加熱の種類、料理名、加熱時間、温度、料理の写真等を表示する。また、タッチパネル９６は、ユーザがタッチすると表面電荷を変化させる透明素材からなる静電容量方式のタッチパネルである。これにより、ユーザはタッチパネル９６をタッチして、カラー液晶パネル９５に表示される画像を選択できるようになっている。また、ユーザがタッチパネル９６をタッチして、カラー液晶パネル９５に表示される選択可能な画像を選択すると、その画像の色が変わるようになっている。つまり、カラー液晶パネル９５に表示される画像は、選択状態の色が非選択状態の色と異なるようになっている。なお、タッチパネル９６は、例えば、抵抗膜方式、表面弾性波方式、赤外線方式または電磁誘導方式のタッチパネルに換えてもよい。また、カラー液晶パネル９５は表示部の一例であり、タッチパネル９６は操作部の一例である。
【００４７】
図５は上記加熱調理器の制御ブロック図である。
【００４８】
上記制御装置５は、ＣＰＵ（中央処理装置）５０、タイマ５１、記憶部５２、入出力回路等を含んで、カラー液晶表示部３６のカラー液晶パネル９５の表示を制御する。また、上記制御装置５には、水加熱ヒータ４１と、水蒸気加熱ヒータ４と、給気ダンパ３３と、排気ダンパ２５と、電磁弁４９と、循環ファン１９と、排気希釈ファン３０と、カラー液晶表示部３６と、ボタン群４５と、マグネトロン５３とが接続されている。
【００４９】
上記ＣＰＵ５０は、記憶部５２に記憶されている制御プログラムを取り出して実行したり、各種入力機器から入力されるデータに対し、二進加算、論理演算、増減、比較等の演算を行ったりする。
【００５０】
上記タイマ５１は、月日、被加熱物１０の加熱が開始してから経過した時間、被加熱物１０の加熱が終了してから経過した時間等を計時する。
【００５１】
上記記憶部５２は、水加熱ヒータ４１、水蒸気加熱ヒータ４、給気ダンパ３３、排気ダンパ２５、電磁弁４９、循環ファン１９、排気希釈ファン３０、カラー液晶表示部３６等を制御するための制御プログラムを記憶している。また、記憶部５２には、３００種類以上（例えば３８１種類）の料理、および、各料理に関連付けられた画像情報も記憶している。また、記憶部５２には、ユーザが例えばお気に入りの料理を記憶させることもできる。
【００５２】
ユーザは、タッチパネル９６をタッチすることにより、図６に示すように、料理を選択するための料理選択用画像Ｇ１０１〜Ｇ１０８を表示させることができる。図６の画面では８種類の料理しか選択できないが、タッチパネル９６およびボタン群４５の操作することにより、残りの料理を選択するための料理選択用画像をカラー液晶パネル９５に表示させることができるようになっている。なお、料理選択用画像Ｇ１０１〜Ｇ１０８は第１選択肢の一例である。
【００５３】
例えば、ユーザが、「焼きそば」を作るため、料理選択用画像Ｇ１０１を選択すると、カラー液晶パネル９５の画面は図７Ａの画面に切り換わる。図７Ａの画面では、２つの分量選択用画像Ｇ１，Ｇ２と、３つの仕上がり選択用画像Ｇ１１〜Ｇ１３と、付属品を確認するための付属品確認用画像Ｇ２１とが表示される。分量選択用画像Ｇ１，Ｇ２は料理選択用画像Ｇ１０１〜Ｇ１０８とは異なるカテゴリに属し、かつ、仕上がり選択用画像Ｇ１１〜Ｇ１３は料理選択用画像Ｇ１０１〜Ｇ１０８および分量選択用画像Ｇ１，Ｇ２とは異なるカテゴリに属している。また、仕上がり選択用画像Ｇ１２，Ｇ１３の文字は、「焼きそば」になじむ表現になっている。また、図７Ａの画面に切り換わった直後においては、分量選択用画像Ｇ１，Ｇ２、仕上がり選択用画像Ｇ１１，Ｇ１３および付属品確認用画像Ｇ２１が非選択状態となっている一方、仕上がり選択用画像Ｇ１１が選択状態となっている。このとき、非選択状態の分量選択用画像Ｇ１，Ｇ２、仕上がり選択用画像Ｇ１１，Ｇ１３および付属品確認用画像Ｇ２１の下地（数字および文字以外の部分）は薄いグレーになっている一方、選択状態の仕上がり選択用画像Ｇ１１の下地（文字以外の部分）はオレンジになっている。また、仕上がり選択用画像Ｇ１１の選択状態は、仕上がり選択用画像Ｇ１２または仕上がり選択用画像Ｇ１３の選択により解除される。つまり、ユーザが仕上がり選択用画像Ｇ１２，Ｇ１３のどちらか一方の上のタッチパネル９６の一部をタッチすると、その一方が選択状態になると共に、仕上がり選択用画像Ｇ１１が非選択状態になる。そして、分量選択用画像Ｇ１，Ｇ２のどちらか一方が選択状態になり、かつ、仕上がり選択用画像Ｇ１１〜Ｇ１３のうちの１つが選択状態なった後、スタートキー９４を押すと、分量選択用画像Ｇ１，Ｇ２および仕上がり選択用画像Ｇ１１〜Ｇ１３の選択に対応する焼きそば用加熱がスタートする。また、図７Ａの画面において、ユーザが付属品確認用画像Ｇ２１を選択すると、「焼きそば」で使用すべき付属品がカラー液晶パネル９５に表示される。なお、分量選択用画像Ｇ１，Ｇ２は第２選択肢の一例で、仕上がり選択用画像Ｇ１１〜Ｇ１３は第３選択肢の一例で、付属品確認用画像Ｇ２１は第４選択肢の一例である。
【００５４】
また、ユーザが、「鶏の照り焼き」を作るため、料理選択用画像Ｇ１０８を選択すると、カラー液晶パネル９５の画面は図７Ｂの画面に切り換わる。図７Ｂの画面の仕上がり選択用画像Ｇ１４，Ｇ１５は料理選択用画像Ｇ１０１〜Ｇ１０８および分量選択用画像Ｇ１，Ｇ２とは異なるカテゴリに属している。また、仕上がり選択用画像Ｇ１４，Ｇ１５の文字は、「鶏の照り焼き」になじむ表現になっている。また、図７Ｂの画面において、ユーザが付属品確認用画像Ｇ２１を選択すると、「鶏の照り焼き」で使用すべき付属品がカラー液晶パネル９５に表示される。また、図７Ｂの画面に切り換わった直後の画面状態と、仕上がり選択用画像Ｇ１１を選択状態から非選択状態に変える方法と、鶏の照り焼き用加熱をスタートさせる方法とについては、図７Ａの場合と同様であるので説明を省略する。なお、仕上がり選択用画像Ｇ１４，Ｇ１５は第３選択肢の一例である。
【００５５】
また、ユーザが、図示しない画面で、「れんこんの明太子あえ」に対応する料理選択用画像を選択すると、カラー液晶パネル９５の画面は図７Ｃの画面に切り換わる。図７Ｃの画面の仕上がり選択用画像Ｇ１６，Ｇ１７は料理選択用画像Ｇ１０１〜Ｇ１０８および分量選択用画像Ｇ１，Ｇ２とは異なるカテゴリに属している。また、仕上がり選択用画像Ｇ１６，Ｇ１７の文字は、「れんこんの明太子あえ」になじむ表現になっている。また、図７Ｃの画面において、ユーザが付属品確認用画像Ｇ２１を選択すると、「れんこんの明太子あえ」で使用すべき付属品がカラー液晶パネル９５に表示される。また、図７Ｃの画面に切り換わった直後の画面状態と、仕上がり選択用画像Ｇ１１を選択状態から非選択状態に変える方法と、れんこんの明太子あえ用加熱をスタートさせる方法とについては、図７Ａの場合と同様であるので説明を省略する。なお、仕上がり選択用画像Ｇ１６，Ｇ１７は第３選択肢の一例である。
【００５６】
また、ユーザが、図示しない画面で、「ごはん（常温）」に対応する料理選択用画像を選択すると、カラー液晶パネル９５の画面は図７Ｄの画面に切り換わる。図７Ｄの画面では、２つの分量選択用画像Ｇ３，Ｇ４と、３つの仕上がり選択用画像Ｇ１１，Ｇ１８，Ｇ１９と、付属品を確認するための付属品確認用画像Ｇ２１とが表示される。分量選択用画像Ｇ３，Ｇ４は料理選択用画像Ｇ１０１〜Ｇ１０８とは異なるカテゴリに属し、かつ、選択用画像Ｇ１８，Ｇ１９は料理選択用画像Ｇ１０１〜Ｇ１０８および分量選択用画像Ｇ３，Ｇ４とは異なるカテゴリに属している。この仕上がり選択用画像Ｇ１８，Ｇ１９の文字は、「ごはん（常温）」になじむ表現になっている。また、図７Ｄの画面において、ユーザが付属品確認用画像Ｇ２１を選択すると、「ごはん（常温）」で使用すべき付属品がカラー液晶パネル９５で表示される。また、図７Ｄの画面に切り換わった直後の画面状態、および、仕上がり選択用画像Ｇ１１を選択状態から非選択状態に変える方法と、ごはん（常温）用加熱をスタートさせる方法とについては、図７Ａの場合と同様であるので説明を省略する。なお、分量選択用画像Ｇ３，Ｇ４は第２選択肢の一例であり、仕上がり選択用画像Ｇ１８，Ｇ１９は第３選択肢の一例である。
【００５７】
図８Ａ，図８Ｂは上記制御装置５の制御を説明するためのフローチャートである。この制御装置５の制御は、ユーザが料理の分量および仕上がりを選択するときに行われる。なお、付属品確認用画像の選択判定およびこの判定に基づく画面表示については説明の便宜上省略する。
【００５８】
まず、上記制御では、ステップＳ１で、ユーザが３００種類以上の料理から所望の料理を選んだか否かを判定する。つまり、ステップＳ１で、料理選択用画像が選択されたか否かを判定する。このステップＳ１で、料理選択用画像が選択された判定すると、ステップ２に進む一方、料理選択用画像が選択されていないと判定すると、再び、ステップ１を行う。なお、ステップＳ１は第１選択判定部の一例である。
【００５９】
次に、ステップＳ２で、ユーザが選択した料理選択用画像に対応する料理で使用すべき付属品がデフォルトの付属品と一致するか否かを判定する。このステップＳ２で、ユーザが選択した料理選択用画像に対応する料理で使用すべき付属品がデフォルトの付属品と一致すると判定すると、ステップＳ３−Ａを経由してステップＳ４に進む一方、ユーザが選択した料理選択用画像に対応する料理で使用すべき付属品がデフォルトの付属品と一致しないと判定すると、ステップＳ３−Ｂを経由してステップＳ４に進む。ここで、上記使用すべき付属品は料理によって異なる。例えば、ユーザが「やきそば」を選択していたなら、使用すべき付属品はトレイ６、つゆ受け９および給水タンク４０となる。また、ユーザが「鶏の照り焼き」または「れんこんの明太子あえ」を選択していたなら、使用すべき付属品はトレイ６、調理網７、つゆ受け９および給水タンク４０となる。また、ユーザが「ごはん（常温）」を選択していたなら、使用すべき付属品はつゆ受け９および給水タンク４０となる。このような料理と付属品の関係を示すテーブルを記憶部５２に予め記憶させている。また、上記デフォルトの付属品とはつゆ受け９を指す。なお、ステップＳ２は付属品判定部の一例であり、ステップＳ４は第２選択判定部の一例であり、ステップＳ３−Ａ，Ｓ３−Ｂは表示指令部の一例である。
【００６０】
上記ステップＳ３−Ａでは、複数の分量選択用画像と、複数の仕上がり選択用画像と、単数の付属品確認用画像とをカラー液晶パネル９５に表示させる。このとき、カラー液晶パネル９５は、複数の分量選択用画像の全てを非選択状態で、複数の仕上がり選択用画像のうちの一つを選択状態で、残りの複数の仕上がり選択用画像を非選択状態で、単数の付属品確認用画像を非選択状態で表示する。また、上記仕上がり選択用画像の文字の表現は、図７Ａ〜図７Ｄの仕上がり選択用画像Ｇ１２〜Ｇ１９のように、ユーザが選択した料理選択用画像に対応する料理になじむ表現とする。例えば、ユーザが「やきそば」を選択していたなら、カラー液晶パネル９５は図６Ａの画面を表示する。
【００６１】
上記ステップＳ３−Ｂでは、複数の分量選択用画像と、複数の仕上がり選択用画像と、単数の付属品確認用画像とをカラー液晶パネル９５に表示させる。このとき、カラー液晶パネル９５は、複数の分量選択用画像の全てを非選択状態で、複数の仕上がり選択用画像のうちの一つを選択状態で、残りの複数の仕上がり選択用画像を非選択状態で、単数の付属品確認用画像を非選択状態で表示する。また、上記仕上がり選択用画像の文字の表現は、図７Ａ〜図７Ｄの仕上がり選択用画像Ｇ１２〜Ｇ１９のように、ユーザが選択した料理選択用画像に対応する料理になじむ表現とする。また、カラー液晶表示部３６は、付属品確認用画像の文字が周期的に表示と非表示を交互に繰り返すように、付属品確認用画像を表示する。例えば、ユーザが「やきそば」を選択していたなら、カラー液晶パネル９５は、図６Ａの画面を表示すると共に、付属品確認用画像Ｇ２１の「付属品を確認」だけを表示したり表示しなかったりする。なお、ステップＳ３−Ａでは、付属品確認用画像の文字はずっと表示されたままである。
【００６２】
次に、ステップＳ４で、複数の分量選択用画像のうちのいずか１つが選択されたか否かを判定する。このステップＳ４で、複数の分量選択用画像のうちの一つも選択されていないと判定すると、ステップＳ１１で注意表示を行って、ステップＳ４に戻る。このステップＳ１１の注意表示では、各分量選択用画像の文字が周期的に表示と非表示を交互に繰り返すようにする。一方、ステップＳ４で、複数の分量選択用画像のうちの１つが選択されたと判定すると、次のステップＳ５に進む。なお、ステップＳ１１は注意部の一例である。
【００６３】
次に、図８Ｂに示すように、ステップＳ５で、カラー液晶表示部３６の画面において、選択された分量選択用画像の下地色を、選択状態を示すオレンジに変更する。
【００６４】
次に、ステップＳ６で、分量選択用画像の選択が変更されたか否かを判定する。このステップＳ６で、分量選択用画像の選択が変更された判定すると、ステップＳ１２で表示変更を行って、ステップＳ７に進む。このステップＳ１２では、選択が解除された分量選択用画像の下地色を、非選択状態を示す薄いグレーに変更すると共に、選択された分量選択用画像の下地色を、選択状態を示すオレンジに変更する。一方、ステップＳ６で、分量選択用画像の選択が変更されていないと判定すると、ステップＳ１２を経由せずに、次のステップＳ７に進む。
【００６５】
次に、ステップＳ７で、仕上がり選択用画像の選択が変更されたか否かを判定する。このステップＳ７で、仕上がり選択用画像の選択が変更された判定すると、ステップＳ１３で表示変更を行って、ステップＳ８に進む。このステップＳ１３では、選択が解除された仕上がり選択用画像の下地色を、非選択状態を示す薄いグレーに変更すると共に、選択された仕上がり選択用画像の下地色を、選択状態を示すオレンジに変更する。一方、ステップＳ７で、仕上がり選択用画像の選択が変更されていないと判定すると、ステップＳ１３を経由せずに、次のステップＳ８に進む。
【００６６】
次に、ステップＳ８で、スタートキー９４が押されたか否かを判定する。このステップＳ８で、スタートキー９４が押された判定すると、料理、分量選択用画像および仕上がり選択用画像の選択に応じた加熱がスタートする。一方、ステップＳ８で、スタートキー９４が押されていないと判定すると、ステップＳ６に戻る。
【００６７】
このように、上記ステップＳ３−Ａ，Ｓ３−Ｂにおいて、カラー液晶パネル９５が、複数の分量選択用画像と、複数の仕上がり選択用画像とを、同時かつ選択可能に表示するので、ユーザは料理選択用画像および分量選択用画像の選択を共通の画面で行うことができる。
【００６８】
したがって、上記料理選択用画像および分量選択用画像の選択を変更するのに要する手間が少なく、ユーザの使い勝手は良好である。
【００６９】
また、上記ステップＳ４において、複数の分量選択用画像のうちの一つも選択されていないと判定すると、ステップＳ１１において、各分量選択用画像の文字が周期的に表示と非表示を交互に繰り返すようにするので、複数の分量選択用画像のうちの一つも選択されていないことにユーザが気付きやすい。
【００７０】
したがって、ユーザは分量選択用画像および仕上がり選択用画像を確実に選択でき、ユーザの使い勝手を向上させることができる。
【００７１】
また、上記ステップＳ３−Ａ，Ｓ３−Ｂにおいて、複数の分量選択用画像を非選択状態でカラー液晶パネル９５に表示させるので、分量選択用画像をユーザに選択させることができる。
【００７２】
したがって、上記分量選択用画像の選択後の処理がユーザの意図を確実に反映されたものにできる。
【００７３】
また、上記ステップＳ３−Ａ，Ｓ３−Ｂにおいて、複数の仕上がり選択用画像のうちの一つを選択状態でカラー液晶パネル９５に表示させるので、その選択状態の仕上がり選択用画像がユーザの意図に合致していれば、ユーザは仕上がり選択用画像の選択を行わずに済む。
【００７４】
したがって、上記仕上がり選択用画像の選択にかかる手間を低減して、ユーザの使い勝手を向上させることができる。
【００７５】
また、ユーザが付属品確認用画像を選択すると、ユーザが選択した料理選択用画像に対応する料理で使用する付属品がカラー液晶パネル９５に表示されるので、ユーザは付属品の確認を容易に行うことができる。
【００７６】
したがって、上記付属品の確認にかかる手間を低減して、ユーザの使い勝手を向上させることができる。
【００７７】
また、ステップＳ２において、ユーザが選択した料理選択用画像に対応する料理で使用すべき付属品がデフォルトの付属品と一致しないと判定すると、ステップＳ３−Ｂにおいて、付属品確認用画像の文字が周期的に表示と非表示を交互に繰り返すようにするので、付属品の確認をユーザに喚起することができる。
【００７８】
したがって、上記付属品の誤使用をユーザに気付かせて、被加熱物の加熱の仕上がりがユーザの意図から外れるのを防ぐことができる。
【００７９】
また、上記ステップＳ３−Ａ，Ｓ３−Ｂにおいて、仕上がり選択用画像の文字の表現は、図７Ａ〜図７Ｄの仕上がり選択用画像Ｇ１２〜Ｇ１９のように、ユーザが選択した料理選択用画像に対応する料理になじむ表現であるので、その仕上がり選択用画像の選択でもたらされる結果をユーザに伝えやすい。
【００８０】
したがって、ユーザは仕上がり選択用画像の選択を適切に行うことができる。
【００８１】
また、上記タッチパネル９６がカラー液晶パネル９５を覆うので、タッチパネル９６がカラー液晶パネル９５を覆わない場合に比べてスペースを減らすことができる。
【００８２】
したがって、上記減らしたスペース分、カラー液晶パネル９５の表示面積を広げることができるので、分量選択用画像および仕上がり選択用画像とを同時に液晶パネル９５にしても、分量選択用画像および仕上がり選択用画像の視認性を良好にできる結果、ユーザの使い勝手を向上させることができる。
【００８３】
上記実施形態では、カラー液晶パネル９５を操作パネル３５に設けていたが、例えば、カラーＥＬ（エレクトロルミネッセンス）表示部または白黒表示部を操作パネル３５に設けてもよい。
【００８４】
上記実施形態では、タッチパネル９６を操作部の一例として用いていたが、タッチパネル９６を用いないようにしてもよい。この場合、操作パネル３５に回転ダイヤルまたは十字キーを設け、回転ダイヤルまたは十字キーで画像Ｇ１，Ｇ２，…等の選択を行うようにしてもよい。
【００８５】
上記実施形態では、操作パネル３５にボタン群４５を設けていたが、操作パネル３５にボタン群４５を設けないようにして、ユーザの選択をタッチパネル９６だけで行うようにしてもよい。
【００８６】
上記実施形態では、ステップＳ３−Ａ，Ｓ３−Ｂにおいて、複数の分量選択用画像の全てを非選択状態にしていたが、複数の分量選択用画像のうちの一つを選択状態にしてもよい。
【００８７】
上記実施形態では、ステップＳ３−Ａ，Ｓ３−Ｂにおいて、複数の仕上がり選択用画像のうちの一つを選択状態にしたが、複数の仕上がり選択用画像の全てを非選択状態にしてもよい。
【００８８】
上記実施形態では、ステップＳ３−Ｂにおいて、付属品確認用画像の表示状態を所定の時間毎に変化させて、付属品の確認をユーザに喚起していたが、例えば、付属品確認用画像の表示状態を所定の時間毎に変化させずに、操作パネル３５にスピーカを設け、このスピーカから流す音声によって、付属品の確認をユーザに喚起するようにしてもよい。
【００８９】
上記実施形態では、ステップＳ１１において、分量選択用画像の表示状態を所定の時間毎に変化させて、分量選択用画像が選択されていないことをユーザに注意していたが、例えば、分量選択用画像の表示状態を所定の時間毎に変化させずに、操作パネル３５にスピーカを設け、このスピーカから流す音声によって、分量選択用画像が選択されていないことをユーザに注意してもよい。
【００９０】
上記実施形態では、ステップＳ３−Ａ，Ｓ３−Ｂにおいて、仕上がり選択用画像の文字の表現だけを、ユーザが選択した料理選択用画像に対応する料理になじむ表現としていたが、分量選択用画像の文字の表現だけを、ユーザが選択した料理選択用画像に対応する料理になじむ表現にしてもよいし、分量選択用画像の文字の表現と、仕上がり選択用画像の文字の表現とを、ユーザが選択した料理選択用画像に対応する料理になじむ表現にしてもよい。
【００９１】
また、上記実施形態では、加熱調理器に、過熱水蒸気および水蒸気を生成する機能を持たせていたが、加熱調理器に、水蒸気を生成する機能のみを持たせてもよい。
【００９２】
本発明は、例えば、過熱水蒸気を使用するオーブンレンジのみならず、過熱水蒸気を使用するオーブン、レンジまたはＩＨクッキングヒータ等の加熱調理器にも適用できるし、過熱水蒸気を使用しないオーブン、レンジ、オーブンレンジまたはＩＨクッキングヒータ等の加熱調理器にも適用できる。
【符号の説明】
【００９３】
１  ケーシング
２  加熱室
５  制御装置
６  トレイ
７  調理網
９  つゆ受け
３５  操作パネル
３６  カラー液晶表示部
４０  給水タンク
９１  戻りキー
９２  取り消しキー
９３  手動キー
９４  あたためスタートキー
９５  カラー液晶パネル
９６  タッチパネル
Ｇ１〜Ｇ４  分量選択用画像
Ｇ１１〜Ｇ１９  仕上がり選択用画像
Ｇ２１  付属品確認用画像
Ｇ１０１〜Ｇ１０８  料理選択用画像
【図１】
2011242099.tif 000003
【図２】
2011242099.tif 000004
【図３】
2011242099.tif 000005
【図４】
2011242099.tif 000006
【図５】
2011242099.tif 000007
【図６】
2011242099.tif 000008
【図７Ａ】
2011242099.tif 000009
【図７Ｂ】
2011242099.tif 000010
【図７Ｃ】
2011242099.tif 000011
【図７Ｄ】
2011242099.tif 000012
【図８Ａ】
2011242099.tif 000013
【図８Ｂ】
2011242099.tif 000014